(57)【要約】      （修正有）【課題】長手方向に延びる支持部材に沿って、所望の位置に移動が可能であり、且つ、位置ずれを起こし難い可動構造体並びにキッチンペーパーホルダー、トイレットペーパーホルダー、ロール状巻き付け体ホルダー及び商品陳列具を提供する。【解決手段】可動構造体は、長手方向に延びる支持部材２と、内部に少なくとも円筒状ゴム部材が収納され、支持部材２が挿通されている可動部材３と、支持部材２が挿通される前の状態での内径が支持部材２の外径より小さい円筒状のゴムからなり、可動部材３内に収納された状態で、支持部材２が挿通されている円筒状ゴム部材１５ａと、を有し、可動部材３は、支持部材２に沿って移動可能になっていること、を特徴とする。【選択図】図７
0003204987.tif 000002
【実用新案登録請求の範囲】
【請求項１】
長手方向に延びる支持部材と、
内部に少なくとも円筒状ゴム部材が収納され、該支持部材が挿通されている可動部材と、
該支持部材が挿通される前の状態での内径が該支持部材の外径より小さい円筒状のゴムからなり、該可動部材内に収納された状態で、該支持部材が挿通されている円筒状ゴム部材と、
を有し、
該可動部材は、該支持部材に沿って移動可能になっていること、
を特徴とする可動構造体。
【請求項２】
前記円筒状ゴム部材は、内径が前記支持部材の外径より小さく且つ長手方向にスリットが設けられている円筒状のゴムからなることを特徴とする請求項１記載の可動構造体。
【請求項３】
前記可動部材内に、前記円筒状ゴム部材の外側から前記円筒状ゴム部材を前記支持部材に押し付ける押し付け部が形成されていることを特徴とする請求項１又は２いずれか１項記載の可動構造体。
【請求項４】
前記円筒状ゴム部材が、シリコンゴムからなることを特徴とする請求項１〜３いずれか１項記載の可動構造体。
【請求項５】
前記支持部材が、長手方向に平行に延びる２本の支持部材からなることを特徴とする請求項１〜４いずれか１項記載の可動構造体。
【請求項６】
請求項１〜５いずれか１項記載の可動構造体と、固定部材と、を有し、
前記支持部材の一端側が該固定部材に固定されており、
前記可動部材は、キッチンペーパーの円筒状の空洞の一端側に入り込む凸部が形成されている可動部材側挟持部を有し、該固定部材は、キッチンペーパーの円筒状の空洞の他端側に入り込む凸部が形成されている固定部材側挟持部を有し、
前記可動部材は、キッチンペーパーが、該可動部材側挟持部と該固定部材側挟持部との間に位置された状態で、該可動部材側挟持部が該固定部材側挟持部側に寄せられ、該可動部材側挟持部の凸部及び該固定部材側挟持部の凸部が、キッチンペーパーの円筒状の空洞の両端に入り込むようにして、該可動部材側挟持部と該固定部材側挟持部が、キッチンペーパーを両側から挟み込むことにより、キッチンペーパーが回転可能に保持されるように、前記支持部材に沿って移動可能になっていること、
を特徴とするキッチンペーパーホルダー。
【請求項７】
前記支持部材が、長手方向に平行延びる２本の支持部材からなり、
該２本の支持部材の一端側は、固定部材に固定されており、且つ、他端側は、連結部を介して繋がっていることを特徴とする請求項６記載のキッチンペーパーホルダー。
【請求項８】
請求項１〜５いずれか１項記載の可動構造体と、固定部材と、を有し、
前記支持部材の一端側が該固定部材に固定されており、
前記可動部材は、トイレットペーパーの円筒状の空洞の一端側に入り込む凸部が形成されている可動部材側挟持部を有し、該固定部材は、トイレットペーパーの円筒状の空洞の他端側に入り込む凸部が形成されている固定部材側挟持部を有し、
前記可動部材は、トイレットペーパーが、該可動部材側挟持部と該固定部材側挟持部との間に位置された状態で、該可動部材側挟持部が該固定部材側挟持部側に寄せられ、該可動部材側挟持部の凸部及び該固定部材側挟持部の凸部が、トイレットペーパーの円筒状の空洞の両端に入り込むようにして、該可動部材側挟持部と該固定部材側挟持部が、トイレットペーパーを両側から挟み込むことにより、トイレットペーパーが回転可能に保持されるように、前記支持部材に沿って移動可能になっていること、
を特徴とするトイレットペーパーホルダー。
【請求項９】
請求項１〜５いずれか１項記載の可動構造体と、固定部材と、を有し、
前記支持部材の一端側が該固定部材に固定されており、
前記可動部材は、円筒の外面にシート状の巻き付け物が巻き付けられたロール状巻き付け体の円筒状の空洞の一端側に入り込む凸部が形成されている可動部材側挟持部を有し、該固定部材は、ロール状巻き付け体の円筒状の空洞の他端側に入り込む凸部が形成されている固定部材側挟持部を有し、
前記可動部材は、ロール状巻き付け体が、該可動部材側挟持部と該固定部材側挟持部との間に位置された状態で、該可動部材側挟持部が該固定部材側挟持部側に寄せられ、該可動部材側挟持部の凸部及び該固定部材側挟持部の凸部が、ロール状巻き付け体の円筒状の空洞の両端に入り込むようにして、該可動部材側挟持部と該固定部材側挟持部が、ロール状巻き付け体を両側から挟み込むことにより、ロール状巻き付け体が回転可能に保持されるように、前記支持部材に沿って移動可能になっていること、
を特徴とするロール状巻き付け体ホルダー。
【請求項１０】
請求項１〜５いずれか１項記載の可動構造体を有し、
前記可動部材には、商品陳列用のフック又はロッドが付設されており、
前記可動部材は、商品陳列用のフック又はロッドが所望の位置に移動されるように、前記支持部材に沿って移動可能になっていること、
を特徴とする商品陳列具。 
【考案の詳細な説明】
【技術分野】
【０００１】
本考案は、長手方向に延びる支持部材に沿って、任意の位置に、可動部材を移動させ且つその位置を保持させることができる可動構造体、及び該可動構造体を有するキッチンペーパーホルダー、トリレットペーパーホルダー、ロール状巻き付け体ホルダー及び商品陳列具に関する。
【背景技術】
【０００２】
従来より、キッチンペーパーを台所で使う際には、キッチンペーパーをキッチンペーパーホルダーに保持させて、用いられてきた。
【０００３】
キッチンペーパーホルダーには、キッチンペーパーの円筒状の空洞の長手方向の向きを左右方向にして、キッチンペーパーを保持する横置き型と、キッチンペーパーの円筒状の空洞の長手方向の向きを上下方向にして、キッチンペーパーを保持する縦置き型とがある。
【０００４】
横置き型のキッチンペーパーホルダーとしては、キッチンペーパーの円筒状の空洞の両端に入り込む凸部が形成されている挟み込み部材で、キッチンペーパーを両側から挟み込み保持するキッチンペーパーホルダーや、一端側が支持部材に固定されている長手方向に延びる支持棒を、キッチンペーパーの円筒状の空洞に挿入することで、キッチンペーパーを保持するキッチンペーパーホルダーが用いられていた。
【０００５】
また、縦置き型のキッチンペーパーホルダーとしては、一端側が支持部材に固定されている長手方向に延びる支持棒を、キッチンペーパーの円筒状の空洞に挿入することで、キッチンペーパーを保持するキッチンペーパーホルダーが用いられていた。
【考案の概要】
【考案が解決しようとする課題】
【０００６】
キッチンペーパーの円筒状の空洞の両端に入り込む凸部が形成されている挟み込み部材で、キッチンペーパーを両側から挟み込み保持するキッチンペーパーホルダーでは、キッチンペーパーが引き出されるときの外力で、挟み込み部材の位置が少しずれただけで、キッチンペーパーがキッチンペーパーホルダーから外れてしまうという問題があった。
【０００７】
また、商品陳列用のフック又はロッドを、商品陳列場所の任意の位置に固定する方法として、横長の支持部材に、商品陳列用のフック又はロッドが付設されている固定部材を、固定用のフェンスや壁に取り付ける方法が挙げられるが、商品が取り出されるときの外力で、商品陳列用のフック又はロッドが外れたり、位置がずれてしまうという問題があった。
【０００８】
従って、本考案の課題は、上記問題を解決することができる可動構造体を提供することにある。
【課題を解決するための手段】
【０００９】
上記課題は、以下の本考案により解決される。
（１）長手方向に延びる支持部材と、
内部に少なくとも円筒状ゴム部材が収納され、該支持部材が挿通されている可動部材と、
該支持部材が挿通される前の状態での内径が該支持部材の外径より小さい円筒状のゴムからなり、該可動部材内に収納された状態で、該支持部材が挿通されている円筒状ゴム部材と、
を有し、
該可動部材は、該支持部材に沿って移動可能になっていること、
を特徴とする可動構造体。
（２）前記円筒状ゴム部材は、内径が前記支持部材の外径より小さく且つ長手方向にスリットが設けられている円筒状のゴムからなることを特徴とする（１）の可動構造体。
（３）前記可動部材内に、前記円筒状ゴム部材の外側から前記円筒状ゴム部材を前記支持部材に押し付ける押し付け部が形成されていることを特徴とする（１）又は（２）いずれかの可動構造体。
（４）前記円筒状ゴム部材が、シリコンゴムからなることを特徴とする（１）〜（３）いずれかの可動構造体。
（５）前記支持部材が、長手方向に平行に延びる２本の支持部材からなることを特徴とする（１）〜（４）いずれかの可動構造体。
（６）（１）〜（５）いずれかの可動構造体と、固定部材と、を有し、
前記支持部材の一端側が該固定部材に固定されており、
前記可動部材は、キッチンペーパーの円筒状の空洞の一端側に入り込む凸部が形成されている可動部材側挟持部を有し、該固定部材は、キッチンペーパーの円筒状の空洞の他端側に入り込む凸部が形成されている固定部材側挟持部を有し、
前記可動部材は、キッチンペーパーが、該可動部材側挟持部と該固定部材側挟持部との間に位置された状態で、該可動部材側挟持部が該固定部材側挟持部側に寄せられ、該可動部材側挟持部の凸部及び該固定部材側挟持部の凸部が、キッチンペーパーの円筒状の空洞の両端に入り込むようにして、該可動部材側挟持部と該固定部材側挟持部が、キッチンペーパーを両側から挟み込むことにより、キッチンペーパーが回転可能に保持されるように、前記支持部材に沿って移動可能になっていること、
を特徴とするキッチンペーパーホルダー。
（７）前記支持部材が、長手方向に平行延びる２本の支持部材からなり、
該２本の支持部材の一端側は、固定部材に固定されており、且つ、他端側は、連結部を介して繋がっていることを特徴とする（６）のキッチンペーパーホルダー。
（８）（１）〜（５）いずれかの可動構造体と、固定部材と、を有し、
前記支持部材の一端側が該固定部材に固定されており、
前記可動部材は、トイレットペーパーの円筒状の空洞の一端側に入り込む凸部が形成されている可動部材側挟持部を有し、該固定部材は、トイレットペーパーの円筒状の空洞の他端側に入り込む凸部が形成されている固定部材側挟持部を有し、
前記可動部材は、トイレットペーパーが、該可動部材側挟持部と該固定部材側挟持部との間に位置された状態で、該可動部材側挟持部が該固定部材側挟持部側に寄せられ、該可動部材側挟持部の凸部及び該固定部材側挟持部の凸部が、トイレットペーパーの円筒状の空洞の両端に入り込むようにして、該可動部材側挟持部と該固定部材側挟持部が、トイレットペーパーを両側から挟み込むことにより、トイレットペーパーが回転可能に保持されるように、前記支持部材に沿って移動可能になっていること、
を特徴とするトイレットペーパーホルダー。
（９）（１）〜（５）いずれかの可動構造体と、固定部材と、を有し、
前記支持部材の一端側が該固定部材に固定されており、
前記可動部材は、円筒の外面にシート状の巻き付け物が巻き付けられたロール状巻き付け体の円筒状の空洞の一端側に入り込む凸部が形成されている可動部材側挟持部を有し、該固定部材は、ロール状巻き付け体の円筒状の空洞の他端側に入り込む凸部が形成されている固定部材側挟持部を有し、
前記可動部材は、ロール状巻き付け体が、該可動部材側挟持部と該固定部材側挟持部との間に位置された状態で、該可動部材側挟持部が該固定部材側挟持部側に寄せられ、該可動部材側挟持部の凸部及び該固定部材側挟持部の凸部が、ロール状巻き付け体の円筒状の空洞の両端に入り込むようにして、該可動部材側挟持部と該固定部材側挟持部が、ロール状巻き付け体を両側から挟み込むことにより、ロール状巻き付け体が回転可能に保持されるように、前記支持部材に沿って移動可能になっていること、
を特徴とするロール状巻き付け体ホルダー。
（１０）（１）〜（５）いずれかの可動構造体を有し、
前記可動部材には、商品陳列用のフック又はロッドが付設されており、
前記可動部材は、商品陳列用のフック又はロッドが所望の位置に移動されるように、前記支持部材に沿って移動可能になっていること、
を特徴とする商品陳列具。
【考案の効果】
【００１０】
本考案によれば、長手方向に延びる支持部材に沿って、所望の位置に移動が可能であり、且つ、位置ずれを起こし難い可動構造体を提供することができる。
【図面の簡単な説明】
【００１１】
【図１】本発明の可動構造体の形態例を有するキッチンペーパーホルダーの模式的な斜視図である。
【図２】図１に示すキッチンペーパーホルダーの正面図（Ａ）、背面図（Ｂ）、右側面図（Ｃ）、平面図（Ｄ）及び底面図（Ｅ）である。
【図３】図１に示すキッチンペーパーホルダーの可動部材を支持部材に沿って移動させた後の図である。
【図４】図１に示すキッチンペーパーホルダーの使用状態を示す図である。
【図５】図１中の可動部材を組み立てる様子を示す模式図である。
【図６】図１中の可動部材を組み立てる様子を示す模式図である。
【図７】図１中の可動部材を組み立てる様子を示す模式図である。
【図８】円筒状ゴム部材の形態例の模式図である。
【図９】円筒状ゴム部材の形態例の模式図である。
【図１０】図１中の支持部材を示す図である。
【図１１】本考案の商品陳列具の形態例の模式図である。
【図１２】本考案の商品陳列具の形態例の模式図である。
【図１３】可動部材に磁石を収納させる様子を示す図である。
【図１４】本考案のキッチンペーパーの使用状態を示す図である。
【考案を実施するための形態】
【００１２】
本発明の可動構造体について、図１〜図７を参照して説明する。図１は、本発明の可動構造体の形態例を有するキッチンペーパーホルダーの模式的な斜視図である。図２は、図１に示すキッチンペーパーホルダーの正面図（Ａ）、背面図（Ｂ）、右側面図（Ｃ）、平面図（Ｄ）及び底面図（Ｅ）である。図３は、図１に示すキッチンペーパーホルダーの可動部材を支持部材に沿って移動させた後の図である。図４は、図１に示すキッチンペーパーホルダーの使用状態を示す図である。図５〜図７は、図１中の可動部材を組み立てる様子を示す模式図である。
【００１３】
図１中、キッチンペーパーホルダー１は、長手方向に平行に延びる２本の支持部材２と、支持部材２が挿通されている可動部材３と、支持部材２の一端側が固定される固定部材４と、からなる。そして、可動部材３は、可動部材側挟持部５を有する。可動部材側挟持部５には、トイレットペーパーの円筒状の空洞の一端に入り込む凸部７が形成されている。また、固定部材４は、固定部材側挟持部６を有する。固定部材側挟持部６には、トイレットペーパーの円筒状の空洞の一端に入り込む凸部８が形成されている。
【００１４】
キッチンペーパーホルダー１では、支持部材２の一端側は、固定部材４に固定されており、且つ、支持部材２の他端側は、連結部３０を介して連結している。そして、図３に示すように、可動部材３は、支持部材２に挿通されているので、支持部材２に沿って、連結部３０の結合位置から、固定部材４の固定位置まで、支持部材２の長手方向に移動することができる。
【００１５】
そのため、図４に示すように、キッチンペーパー１１が、可動部材側挟持部５と固定部材側挟持部６との間に位置された状態で、可動部材側挟持部５が固定部材側挟持部６側に寄るように、可動部材３が支持部材２に沿って移動され、そして、可動部材側挟持部５の凸部７及び固定部材側挟持部６の凸部８が、キッチンペーパー１１の円筒状の空洞１２の両端に入り込むようにして、可動部材側挟持部５と固定部材側挟持部６が、キッチンペーパー１１を両側から挟み込むことにより、キッチンペーパー１１が、キッチンペーパーホルダー１に回転可能に保持される。
【００１６】
図１中のトイレットペーパーホルダー１の可動部材３について、詳細に説明する。図５に示すように、可動部材３の支持部材２に対し垂直な外側壁２５ｂには、支持部材２が挿通される挿通孔２３が形成されている。可動部材３内には、支持部材２に平行な外側壁２５ａと、支持部材２に対し垂直な外側壁２５ｂの内側に形成されるゴム部材端部当接部２８と、支持部材２に平行な内側壁２６ａと、で囲まれる円筒状ゴム部材の収納空間２１が形成されている。支持部材２に平行な外側壁２５ａの円筒状ゴム部材の収納空間２１側及び支持部材２に平行な内側壁２６ａの円筒状ゴム部材の収納空間２１側には、押し付け突起２２がそれぞれ形成されている。
【００１７】
可動部材３を組み立てる際には、先ず、可動部材３の挿通孔２３に、支持部材２を挿通させる。次いで、図６及び図７に示すように、内径が支持部材２の外径より小さく且つ長手方向にスリット１７が形成されている円筒状のゴム部材である円筒状ゴム部材１５ａを用意し、この円筒状ゴム部材１５ａのスリット１７を広げて、支持部材２のうち、可動部材３のゴム部材収納空間２１にある部分２ａに、円筒状ゴム部材１５ａを嵌める。円筒状ゴム部材１５ａを支持部材２のゴム部材収納空間２１にある部分２ａに嵌めた後は、背面壁９で、可動部材３の背面を閉じる。なお、図７（Ａ）では、円筒状ゴム部材１５ａ内にある支持部材２の輪郭を点線で示した。
【００１８】
図１に示すキッチンペーパーホルダー１では、支持部材２と、可動部材３と、円筒状ゴム部材１５ａと、が、本発明の可動構造体の形態例に相当する。この図１中の可動構造体の形態例では、円筒状ゴム部材１５ａの内径が支持部材２の外径よりも小さく、且つ、円筒状ゴム部材１５ａが弾性体であるゴム部材からなるので、円筒状ゴム部材１５ａが、支持部材２に嵌められることにより、円筒状ゴム部材１５ａの内側１６ａが、支持部材２に密着する。そして、円筒状ゴム部材１５ａを形成するゴムは、支持部材２に対して適度な摩擦係数を有している。そのため、支持部材２に沿って可動部材３が移動するときに、支持部材２に密着している円筒状ゴム部材１５ａの端部に、ゴム部材端部当接部２８が当たるため、例えば、キッチンペーパーがキッチンペーパーホルダーに保持された状態で、キッチンペーパーが引っ張り出されるときに、可動部材３に加わる力のように、可動部材３に加わる力が、支持部材２と円筒状ゴム部材１５ａの内側１６ａとの間の摩擦力より小さい場合には、円筒状ゴム部材１５ａにより、可動部材３の移動が妨げられる。このことにより、可動部材３の位置ずれが防止される。一方、例えば、キッチンペーパーがキッチンペーパーホルダーに取り付けられ又は取り外されるときに、可動部材３に加わる力のように、可動部材３に加わる力が、支持部材２と円筒状ゴム部材１５ａの内側１６ａとの間の摩擦力より大きい場合には、可動部材３は支持部材２に沿って移動する。このことにより、可動部材３を支持部材２に沿って動かして、所望に位置まで移動させることができる。
【００１９】
また、図１中の可動構造体の形態例では、支持部材２に平行な外側壁２５ａの円筒状ゴム部材の収納空間２１側及び支持部材２に平行な内側壁２６ａの円筒状ゴム部材の収納空間２１側に形成されている押し付け突起２２が、円筒状ゴム部材１５ａを外側から押すため、円筒状ゴム部材１５ａは、支持部材２に押し付けられる。そのため、押し付け突起２２により、支持部材２と円筒状ゴム部材１５ａの内側１６ａとの間の摩擦力が高められる。
【００２０】
本考案の可動構造体は、長手方向に延びる支持部材と、
内部に少なくとも円筒状ゴム部材が収納され、該支持部材が挿通される可動部材と、
該支持部材が挿通される前の状態での内径が該支持部材の外径より小さい円筒状のゴムからなり、該可動部材内に収納された状態で、該支持部材が挿通されている円筒状ゴム部材と、
を有し、
該可動部材は、該支持部材に沿って移動可能になっていること、
を特徴とする可動構造体である。
【００２１】
本考案の可動構造体は、長手方向に延びる支持部材と、支持部材が挿通されている可動部材と、可動部材内に収納されており且つ支持部材が挿通されている円筒状ゴム部材と、を有する。
【００２２】
可動部材は、支持部材が挿通されているので、支持部材に沿って、支持部材の長手方向に移動することができる。そのため、使用目的や使用状況に合わせて、可動部材を所望の位置まで動かすことができる。この可動部材の内部には、少なくとも円筒状ゴム部材が収納されている。言い換えると、可動部材の内部には、少なくとも円筒状ゴム部材の収納空間が形成されている。また、可動部材には、支持部材の挿通孔が形成されている。そして、可動部材内の円筒状ゴム部材の収納空間に、可動部材に挿通されている支持部材の部分が位置することができる位置に、支持部材の挿通孔が形成されている。
【００２３】
支持部材は、長手方向に延びる棒状の部材である。支持部材の断面は円形である。支持部材の材質は、特に制限されず、適宜選択されるが、通常、支持部材は、ステンレス鋼等の金属である。また、支持部材は、可動構造体の用途によっては、合成樹脂製や木製であってもよい。支持部材の数は、１以上であるが、２以上であることが、可動部材が支持部材の周方向に回転してしまうのを防ぎ易くなる点で好ましく、２が特に好ましい。支持部材が２以上の場合には、それらの支持部材は平行に配置される。
【００２４】
支持部材は、図１に示す形態例では、一端側が固定部材に固定されており、他端側は、連結部３０に繋がっているが、本考案は、これに限定されない。例えば、支持部材の両端とも、固定部材に固定されていてもよいし、支持部材の一端側が連結部により繋がっており、且つ、他端側が固定部材に固定されていてもよいし、支持部材の両端とも、連結部により繋がっていてもよいし、あるいは、支持部材の両端又は一端が、建物の床、壁、商品陳列用の壁や、ェンス、台等に固定されていてもよい。
【００２５】
円筒状ゴム部材は、形状が円筒状であり、且つ、材質がゴムである部材である。円筒状ゴム部材は、可動部材の内部に収納された状態で、内側に支持部材が挿通されている。
【００２６】
円筒状ゴム部材の材質は、特に制限されず、例えば、シリコンゴム、軟質ゴム、エラストマー等が挙げられ、用途ごとに必要とされる支持部材と円筒状ゴム部材の内側との間の摩擦力の設計により、摩擦係数、弾性率等を考慮して、適宜選択される。
【００２７】
円筒状ゴム部材の形状としては、（Ａ）円筒状であり且つ長手方向に亘ってスリットが形成されている形状、つまり、長手方向に対して垂直な面で切った断面が略Ｃ字状である形状、（Ｂ）円筒状であり且つ長手方向にはスリットが形成されていない形状、つまり、長手方向に対して垂直な面で切った断面が円形である形状が挙げられる。図８に示す形態例では、円筒状ゴム部材１５ａは、円筒状であり且つ長手方向に亘ってスリット１７が形成されている形状であり、その断面形状は、略Ｃ状である。また、図９に示す形態例では、円筒状ゴム部材１５ｂは、円筒状であり且つ長手方向にはスリット１７は形成されていない形状であり、その断面形状は、円形である。円筒状ゴム部材の形状が、（Ｂ）円筒状であり且つ長手方向にはスリットが形成されていない形状、つまり、長手方向に対して垂直な面で切った断面が円形である形状の場合は、先に、可動部材の内部の円筒状ゴム部材の収納空間に、円筒状ゴム部材を配置させてから、支持部材を、可動部材に形成されている支持部材の挿通孔及び円筒状ゴム部材の内側に挿通させることにより、可動構造体を組み立てる。また、円筒状ゴム部材の形状が、（Ａ）円筒状であり且つ長手方向に亘ってスリットが形成されている形状、つまり、長手方向に対して垂直な面で切った断面が略Ｃ状である形状の場合は、（ｉ）先に、可動部材の内部の円筒状ゴム部材の収納空間に、円筒状ゴム部材を配置させてから、支持部材を、可動部材に形成されている支持部材の挿通孔及び円筒状ゴム部材の内側に挿通させることにより、可動構造体を組み立てるか、あるいは、（ｉｉ）先に、支持部材を可動部材に形成されている支持部材の挿通孔に挿通させてから、可動部材の内部の円筒状ゴム部材の収納空間に位置する支持部材の部分に、円筒状ゴム部材を嵌めることにより、可動構造体を組み立てる。なお、図８は、円筒状ゴム部材の形態例を示す模式図であり、図８（Ｉ）は斜視図であり、図８（ＩＩ）は長手方向に対して垂直な面で切った断面図である。また、図９は、円筒状ゴム部材の形態例を示す模式図であり、図９（Ｉ）は斜視図であり、図９（ＩＩ）は長手方向に対して垂直な面で切った断面図である。
【００２８】
円筒状ゴム部材の形状が、（Ｂ）円筒状であり且つ長手方向にはスリットが形成されていない形状、つまり、長手方向に対して垂直な面で切った断面が円形である形状であることが、円筒状ゴム部材の支持部材への密着力が高くなるので、支持部材と円筒状ゴム部材の内側との間の摩擦力が高くなる点で好ましい。
【００２９】
また、円筒状ゴム部材の形状が、（Ａ）円筒状であり且つ長手方向に亘ってスリットが形成されている形状、つまり、長手方向に対して垂直な面で切った断面が略Ｃ状である形状であることが、先に、支持部材を可動部材に形成されている支持部材の挿通孔に挿通させてから、可動部材の内部の円筒状ゴム部材の収納空間に位置する支持部材の部分に、円筒状ゴム部材を嵌めることにより、可動構造体を組み立てることができるので、組み立てが容易になる点で好ましい。また、円筒状ゴム部材の形状が、（Ａ）円筒状であり且つ長手方向に亘ってスリットが形成されている形状、つまり、長手方向に対して垂直な面で切った断面が略Ｃ状である形状であることが、可動部材内に、円筒状ゴム部材の外側から円筒状ゴム部材を支持部材に押し付ける押し付け部が形成されていている形態において、押し付ける部により円筒状ゴム部材が押し付けられたときに、円筒状ゴム部材が支持部材の外面に沿って変形するので、支持部材と円筒状ゴム部材の内側との間の摩擦力を調節し易くなる点で好ましい。
【００３０】
支持部材が挿通される前の状態の円筒状ゴム部材の内径は、支持部材の外径より小さい。そして、円筒状ゴム部材の内径が、支持部材の外径より小さいことにより、円筒状ゴム部材の内側に支持部材が挿通されたときに、円筒状ゴム部材が支持部材に密着するので、支持部材と円筒状ゴム部材の内側との間の摩擦力が高くなり、そのため、可動部材の位置ずれを防止することができる。支持部材の外径及び円筒状ゴム部材の内径は、円筒状ゴム部材の内径が支持部材の外径より小さい範囲で、用途等に応じて、適宜選択される。なお、本考案において、円筒状ゴム部材の内径とは、図８（ＩＩ）及び図９（ＩＩ）に示すように、支持部材が挿通される前の状態での、円筒状ゴム部材を長手方向に対して垂直な面で切ったときの円筒状ゴム部材の内径ｒ１を指し、また、支持部材の外径とは、図１０（Ｂ）に示すように、支持部材を長手方向に対して垂直な面で切ったときの支持部材の外径ｒ２である。なお、図１０は、図１中の支持部材２を示す図であり、図１０（Ａ）は正面図であり、図１０（Ｂ）は支持部材２を長手方向に対して垂直な面で切ったときの断面図である。
【００３１】
円筒状ゴム部材の長手方向の長さは、適宜選択されるが、可動部材の内部の円筒状ゴム部材の収納空間の長さと同じか又は可動部材の内部の円筒状ゴム部材の収納空間の長さより少し短いことが好ましい。円筒状ゴム部材の長手方向の長さが、可動部材の内部の円筒状ゴム部材の収納空間の長さより短過ぎると、可動部材のガタツキが大きくなる。
【００３２】
図５〜図７に示す形態例では、可動部材内に、可動部材が支持部材に沿って移動するときに、円筒状ゴム部材の端部が接する部材であるゴム部材端部当接部が、支持部材に対し垂直な外側壁の内側に形成されているが、本考案の可動構造体は、これに制限されるものではない。本考案の可動構造体では、可動部材が支持部材に沿って移動するときに、円筒状ゴム部材の端部が接する部材であるゴム部材端部当接部が、可動部材内に形成されていてもよいし、あるいは、可動部材が支持部材に沿って移動するときに、円筒状ゴム部材の端部が接する部材であるゴム部材端部当接部が、可動部材内に形成されていなくてもよい、言い換えると、可動部材が支持部材に沿って移動するときに、円筒状ゴム部材の端部が支持部材に対し垂直な外側壁の内側に接するものであってもよい。
【００３３】
図５〜図７に示す形態例では、可動部材内に、円筒状ゴム部材の外側から円筒状ゴム部材を支持部材に押し付ける押し付け突起が形成されているが、本考案はこれに制限されるものではない。本考案に係る可動構造体では、可動部材内に、円筒状ゴム部材の外側から円筒状ゴム部材を支持部材に押し付ける押し付け部、例えば、押し付け突起又は押し付け壁が形成されていてもよいし、あるいは、可動部材内に、円筒状ゴム部材の外側から円筒状ゴム部材を支持部材に押し付ける押し付け部が形成されていなくてもよい。
【００３４】
可動部材内に、円筒状ゴム部材の外側から円筒状ゴム部材を支持部材に押し付ける押し付け部が形成されていている場合、円筒状ゴム部材を支持部材に押し付ける部分は、壁であっても、突起であってもよい。可動部材の外側壁や可動部材の内部に種々の目的で設けられる内側壁が、円筒状ゴム部材を支持部材に押し付ける押し付け壁を兼ねることができる。また、可動部材の外側壁を補強する補強リブや可動部材の内部に種々の目的で設けられる内側壁を補強する補強リブが、円筒状ゴム部材を支持部材に押し付ける押し付け突起を兼ねることができる。
【００３５】
本考案の可動構造体では、円筒状ゴム部材の内径が支持部材の外径よりも小さく、且つ、円筒状ゴム部材が弾性体であるゴムからなるので、円筒状ゴム部材が、支持部材に嵌められることにより、円筒状ゴム部材の内側が、支持部材に密着する。そして、円筒状ゴム部材は、材質がゴムなので、支持部材に対して適度な摩擦係数を有している。そのため、支持部材に沿って可動部材が移動するときに、支持部材に密着している円筒状ゴム部材の端部に、ゴム部材端部当接部が当たるため、可動部材に加わる力が、支持部材と円筒状ゴム部材の内側との間の摩擦力より小さい場合には、円筒状ゴム部材により、可動部材の移動が妨げられる。このことにより、可動部材の位置ずれが防止される。一方、可動部材に加わる力が、支持部材と円筒状ゴム部材の内側との間の摩擦力より大きい場合には、可動部材は支持部材に沿って移動する。このことにより、可動部材に、支持部材と円筒状ゴム部材の内側との間の摩擦力より大きい力を加えて、可動部材を支持部材に沿って動かし、所望の位置まで移動させることができる。そして、本考案では、可動部材内で支持部材に嵌まっているのが、弾性体であるゴムで形成されている円筒状の部材であり且つ円筒状のゴム部材の内径が、支持部材の外径より小さいので、可動部材の位置を変えたいときには、可動部材を移動させることができ、且つ、移動させた位置で可動部材の位置を保持させておくときには、可動部材が位置ずれを起こし難い。
【００３６】
そして、本考案の可動構造体では、支持部材との摩擦力を調節する部材である円筒状ゴム部材の材質が、弾性体であるゴムであるので、ゴムの種類、ゴム弾性率等の物性、円筒状ゴム部材の内径を、適宜選択するという簡便な方法で、支持部材と円筒状ゴム部材の内側との間の摩擦力を調節することができる。すなわち、本考案の可動構造体によれば、可動部材の位置を変えたいときには、可動部材を移動させることができ、且つ、移動させた位置で可動部材の位置を保持させておくときには、可動部材が位置ずれを起こし難くすることができる。
【００３７】
本考案の可動構造体では、可動部材内に、円筒状ゴム部材の外側から、円筒状ゴム部材を支持部材に押し付ける押し付け部、例えば、押し付け壁又は押し付け突起が形成されていることにより、支持部材と円筒状ゴム部材の内側との間の摩擦力の調節機能を高めることができる。例えば、押し付け部の形成位置や、押し付け部の形成範囲を調節することにより、支持部材と円筒状ゴム部材の内側との間の摩擦力の調節幅を広くすることができる。
【００３８】
本考案の可動構造体が、キッチンペーパーホルダーに用いられる場合、本考案の可動構造体を有するキッチンペーパーホルダーに、キッチンペーパーを取り付け又は取り外すときには、可動部材に支持部材と円筒状ゴム部材の内側との間の摩擦力より大きい力を加えて、可動部材を移動させることで、キッチンペーパーのキッチンペーパーホルダーへの取り付け又は取り外しができ、また、本考案の可動構造体を有するキッチンペーパーホルダーに、キッチンペーパーを保持させた状態で、キッチンペーパーを引っ張って巻き解くときには、支持部材と円筒状ゴム部材の内側との間の摩擦力により、可動部材が移動して、キッチンペーパーがキッチンペーパーホルダーから外れてしまうのを防ぐことができる。
【００３９】
また、本考案の可動構造体が、商品陳列具に用いられる場合、本考案の可動構造体を有する商品陳列具の商品の陳列位置を変えたいときには、可動部材に支持部材と円筒状ゴム部材の内側との間の摩擦力より大きい力を加えて、商品陳列用の部材が付設されている可動部材を移動させることで、商品の陳列位置を変えることができ、また、商品の陳列位置で商品を陳列しているときには、支持部材と円筒状ゴム部材の内側との間の摩擦力により、商品が商品陳列用の部材から取られるときに、可動部材が移動して、商品の陳列位置が動いてしまうのを防ぐことができる。
【００４０】
本考案のキッチンペーパーホルダーは、本考案の可動構造体と、固定部材と、を有し、
前記支持部材の一端側が該固定部材に固定されており、
前記可動部材は、キッチンペーパーの円筒状の空洞の一端側に入り込む凸部が形成されている可動部材側挟持部を有し、該固定部材は、キッチンペーパーの円筒状の空洞の他端側に入り込む凸部が形成されている固定部材側挟持部を有し、
前記可動部材は、キッチンペーパーが、該可動部材側挟持部と該固定部材側挟持部との間に位置させた状態で、該可動部材側挟持部が該固定部材側挟持部側に寄せられて、該可動部材側挟持部の凸部及び該固定部材側挟持部の凸部が、キッチンペーパーの円筒状の空洞の両端に入り込むようにして、該可動部材側挟持部と該固定部材側挟持部が、キッチンペーパーを両側から挟み込むことにより、キッチンペーパーを回転可能に保持することができるように、前記支持部材に沿って移動可能になっていること、
を特徴とするキッチンペーパーホルダーである。
【００４１】
本考案のキッチンペーパーホルダーは、本発明の可動構造体と、固定部材と、を有する。
【００４２】
本考案のキッチンペーパーホルダーでは、支持部材は、長手方向に延びる１の支持部材又は長手方向に平行に延びる２以上の支持部材からなる。本考案のキッチンペーパーホルダーでは、支持部材の一端側は固定部材に固定されている。また、本考案のキッチンペーパーホルダーでは、支持部材が、長手方向に平行に延びる２以上の支持部材からなるときは、支持部材の他端側が連結部を介して繋がっていることが好ましい。
【００４３】
本考案のキッチンペーパーホルダーでは、可動部材は、キッチンペーパーの円筒状の空洞の一端側に入り込む凸部が形成されている可動部材側挟持部を有し、固定部材は、キッチンペーパーの円筒状の空洞の他端側に入り込む凸部が形成されている固定部材側挟持部を有する。本考案のキッチンペーパーホルダーでは、可動部材側挟持部及び固定部材挟持部並びに凸部の形状は、キッチンペーパーの円筒状の空洞の両端に、凸部が入り込むように、可動部材側挟持部と固定部材側挟持部が、キッチンペーパーを両側から挟み込み、且つ、キッチンペーパーが回転可能に保持される形状であれば、特に制限されない。
【００４４】
本考案のキッチンペーパーホルダーでは、可動部材は、キッチンペーパーが、可動部材側挟持部と固定部材側挟持部との間に位置された状態で、可動部材側挟持部が固定部材側挟持部側に寄せられて、可動部材側挟持部の凸部及び固定部材側挟持部の凸部が、キッチンペーパーの円筒状の空洞の両端に入り込むようにして、可動部材側挟持部と固定部材側挟持部が、キッチンペーパーを両側から挟み込むことにより、キッチンペーパーが回転可能に保持され、且つ、可動部材側挟持部が固定部材側挟持部側から離れることにより、キッチンペーパーが取り外されるように、支持部材に沿って所望の位置まで移動可能になっている。
【００４５】
本考案のトイレットペーパーホルダーは、本考案の可動構造体と、固定部材と、を有し、
前記支持部材の一端側が該固定部材に固定されており、
前記可動部材は、トイレットペーパーの円筒状の空洞の一端側に入り込む凸部が形成されている可動部材側挟持部を有し、該固定部材は、トイレットペーパーの円筒状の空洞の他端側に入り込む凸部が形成されている固定部材側挟持部を有し、
前記可動部材は、トイレットペーパーが、該可動部材側挟持部と該固定部材側挟持部との間に位置された状態で、該可動部材側挟持部が該固定部材側挟持部側に寄せられて、該可動部材側挟持部の凸部及び該固定部材側挟持部の凸部が、トイレットペーパーの円筒状の空洞の両端に入り込むようにして、該可動部材側挟持部と該固定部材側挟持部が、トイレットペーパーを両側から挟み込むことにより、トイレットペーパーが回転可能に保持されるように、前記支持部材に沿って移動可能になっていること、
を特徴とするトイレットペーパーホルダーである。
【００４６】
本考案のトイレットペーパーホルダーは、保持対象がキッチンペーパーではなく、トイレットペーパーであること以外は、本考案のキッチンペーパーホルダーと同様である。
【００４７】
本考案のロール状巻き付け体ホルダーは、本考案の可動構造体と、固定部材と、を有し、
前記支持部材の一端側が該固定部材に固定されており、
前記可動部材は、円筒の外面にシート状の被巻き付け物が巻き付けられたロール状巻き付け体の円筒状の空洞の一端側に入り込む凸部が形成されている可動部材側挟持部を有し、該固定部材は、ロール状巻き付け体の円筒状の空洞の他端側に入り込む凸部が形成されている固定部材側挟持部を有し、
前記可動部材は、ロール状巻き付け体が、該可動部材側挟持部と該固定部材側挟持部との間に位置された状態で、該可動部材側挟持部が該固定部材側挟持部側に寄せられて、該可動部材側挟持部の凸部及び該固定部材側挟持部の凸部が、ロール状巻き付け体の円筒状の空洞の両端に入り込むようにして、該可動部材側挟持部と該固定部材側挟持部が、ロール状巻き付け体を両側から挟み込むことにより、ロール状巻き付け体が回転可能に保持されるように、前記支持部材に沿って移動可能になっていること、
を特徴とするロール状巻き付け体ホルダーである。
【００４８】
本考案のロール状巻き付け体ホルダーは、保持対象がキッチンペーパーではなく、ロール状巻き付け体ホルダーであること以外は、本考案のキッチンペーパーホルダーと同様である。
【００４９】
本考案のロール状巻き付け体ホルダーに係るロール状巻き付け体は、両端が空いている円筒と、円筒の外面の周りに巻き回されているシート状の巻き付け物、例えば、布地、ビニール袋の連結物と、からなる。
【００５０】
本考案の商品陳列具は、本考案の可動構造体を有し、
前記可動部材には、商品陳列用のフック又はロッドが付設されており、
前記可動部材は、商品陳列用のフック又はロッドが所望に位置に移動されるように、前記支持部材に沿って移動可能になっていること、
を特徴とする商品陳列具である。
【００５１】
本考案の商品陳列具の形態例としては、例えば、図１１に示す商品陳列具３１や、図１２に示す商品陳列具４１が挙げられる。図１１に示す商品陳列具３１は、長手方向に平行に延びる２本の支持部材３２と、内部に円筒状ゴム部材３５が収納され、支持部材３２が挿通され、支持部材３２に沿って移動する可動部材３３と、支持部材に取り付けられる前の状態で内径が支持部材３２の外径より小さい円筒状のゴムからなり、可動部材３３内に収納された状態で、支持部材３２が挿通されている円筒状ゴム部材３５と、を有し、可動部材３３には、商品陳列用のロッド３４が付設されており、可動部材３３は、商品陳列用のロッド３４が所望の位置に移動されるように、支持部材３２に沿って移動可能になっている商品陳列具３１である。また、図１２に示す商品陳列具４１は、長手方向に平行に延びる２本の支持部材４２と、内部に円筒状ゴム部材４５が収納され、支持部材４２が挿通され、支持部材４２に沿って移動する可動部材４３と、支持部材に取り付けられる前の状態で内径が支持部材４２の外径より小さい円筒状のゴムからなり、可動部材４３内に収納された状態で、支持部材４２が挿通されている円筒状ゴム部材４５と、を有し、可動部材４３には、商品陳列用のフック４４が付設されており、可動部材４３は、商品陳列用のフック４４が所望の位置に移動されるように、支持部材４２に沿って移動可能になっている商品陳列具４１である。なお、図１１及び図１２では、可動部材内にある支持部材と円筒状ゴム部材の輪郭を点線で示した。
【００５２】
本考案の商品陳列具に係る商品陳列用のフック又はロッドは、商品又は商品の包装に空けられた穴で商品又は商品の包装を引っ掛けることにより、商品をフック又はロッドに引っ掛けられた状態で陳列するための部位である。本考案の商品陳列具に係る商品陳列用のフック又はロッドの形状は、適宜選択される。
【００５３】
本考案の商品陳列具において、支持部材の取り付けられる商品陳列用のフック又はロッドが付設されている可動部材の数は、商品の陳列場所における商品陳列形態により適宜選択される。
【００５４】
本考案のキッチンペーパーホルダーは、図１３に示すように、可動部材３に、可動部材３内の内側壁２６に囲まれて形成される磁石の収納空間２７に、磁石２９が収納され、且つ、図示しないが、固定部材４内に形成される磁石の収納空間に、磁石が収納されることにより、図１４に示すように、冷蔵庫５０等の鉄製の壁面に、キッチンペーパー５２が保持されているキッチンペーパーホルダー５１が、貼り付けられて、使用されることもできる。
【符号の説明】
【００５５】
１          キッチンペーパーホルダー
２、２ａ、３２、４２  支持部材
３、３３、４３  可動部材
４          固定部材
５          可動部材側挟持部
６          固定部材側挟持部
７、８      凸部
９          背面壁
１１        キッチンペーパー
１２        円筒状の空洞
１５ａ、１５ｂ、３５、４５  円筒状ゴム部材
１６ａ、１６ｂ  円筒状ゴム部材の内側
１７        スリット
２１        円筒状ゴム部材の収納空間
２２        押し付け突起
２３        挿通孔
２５、２５ａ、２５ｂ  外側壁
２６、２６ａ、２６ｂ  内側壁
２７        磁石の収納空間
２８        ゴム部材端部当接部
２９        磁石
３０        連結部
３１、３２  商品陳列具
３４        商品陳列用のロッド
４４        商品陳列用のフック
５０        冷蔵庫
５１        キッチンペーパーホルダー
５２        キッチンペーパー
ｒ１        円筒状ゴム部材の内径
ｒ２        支持部材の外径
【図１】
0003204987.tif 000003
【図２】
0003204987.tif 000004
【図３】
0003204987.tif 000005
【図４】
0003204987.tif 000006
【図５】
0003204987.tif 000007
【図６】
0003204987.tif 000008
【図７】
0003204987.tif 000009
【図８】
0003204987.tif 000010
【図９】
0003204987.tif 000011
【図１０】
0003204987.tif 000012
【図１１】
0003204987.tif 000013
【図１２】
0003204987.tif 000014
【図１３】
0003204987.tif 000015
【図１４】
0003204987.tif 000016